(57)【特許請求の範囲】
【請求項１】
ホース状袋（１）を空にするための装置であって、ホース状袋（１）の端部に固定されたキャップ状の受容部分（２）が包含されており、該受容部分（２）が、管状の流出開口（３）と、該流出開口（３）内に配置された、ホース状袋（１）を開けるための装置とを有する形式のものにおいて、
流出開口（３）内に配置された、ホース状袋（１）を開けるための該装置が、先端かららせん状に延びる２つの切断刃を有するカッタ（４）であることを特徴とする、ホース状袋を空にするための装置。
【請求項２】
カッタ（４）が、差込み可能な管片（５）によって、流出開口（３）内で回転可能かつホース状袋方向に摺動可能である、請求項１記載の装置。
【請求項３】
カッタ（４）が、ホース状袋（１）を開ける終端位置でロック可能である、請求項１又は２記載の装置。
【請求項４】
管片（５）が、管状の流出開口（３）の内壁に対してシールされている、請求項２又は３記載の装置。
【発明の詳細な説明】
【０００１】
【発明の属する技術分野】
本発明は、ホース状袋を空にするための装置であって、ホース状袋の端部で固定可能なキャップ状の受容部分が包含されており、該受容部分が、管状の流出開口と、該流出開口内に配置された、ホース状袋を開けるための装置とを有する形式のものに関する。
【０００２】
【従来の技術】
従来技術により、セルフオープニングのホース状袋パッケージが公知であり、このホース状袋パッケージは底部分の端面に固定的に配置されており、この場合、このフィルムから成る袋にかかる圧力によって、据え付けのカッタが、ホース状袋に向かって押し付けられ、これによりホース状袋を開く。
【０００３】
特にドイツ連邦共和国実用新案第２９７０５４８８号明細書により、ホース状袋を空にするための装置が開示されており、この装置は、ホース状袋の端部で固定可能なキャップ状の受容部分を包含していて、この受容部分は、流出開口に開口する凹設部と、この凹設部内に配置された、ホース状袋のフィルムを開けるための装置とを有しており、このホース状袋のフィルムを開けるための装置は、ホース状袋が、受容部分の、ホース状袋を端面で支持する横断面に固着結合されていることを特徴とする。袋を開けるためのこの装置は、据え付けの針である。
【０００４】
欧州特許公開第０９２２６４５号明細書により、さらさらした液体媒体のための塗布器が公知であり、この塗布器には切断エレメントが設けられている。この切断エレメントの下側は、斜めに形成されていて、膜を裂き開くための切断エッジを有している。
【０００５】
この構成における不都合な点は、ホース状袋を空にする機能を保証するために、袋が極めて精密に開き離されなければならないことである。特に不都合であるのは、ホース状袋と受容部分との密な接着及びシールを保証する必要があることであり、これにより比較的高い製造コストが生じる。
【０００６】
【発明が解決しようとする課題】
したがって、本発明の課題は、新たな形式の装置を用いて、前述の不都合な点を少なくとも部分的に回避することであり、特に、ホース状袋の材料が伸び率の低い若しくは引裂強度の大きい場合でも十分に大きくかつ再現可能な開口を生ぜしめる装置を提供し、フィルムの一部分が切り離されて、ホース状袋の中身と共に運び出されてしまうことがないようにすることである。
【０００７】
【課題を解決するための手段】
この課題を解決するために本発明の構成では、流出開口内に配置された、ホース状袋を開けるための装置が、先端かららせん状に延びる２つの切断刃を有するカッタとなっている。
【０００８】
【発明の効果】
本発明によるホース状袋を空にするための装置は、ホース状袋の端部に固定可能なキャップ状の受容部分を包含しており、この受容部分が、管状の流出開口と、この流出開口内に配置された、ホース状袋を開けるための装置とを有している。ホース状袋を開けるためのこの装置は、先端かららせん状に延びる２つの切断刃を有するカッタであり、すなわち、このカッタは、いわゆるアルキメデスのねじポンプのように、ホース状袋のフィルム材料に切り込むことができる。
【０００９】
カッタの曲げられた構成により、突き刺さる際にＳ字形の切れ込みが生じて、この切れ込みより、フィルムが不十分な伸び率又は極めて大きな引裂強度を有している場合でも、十分に大きくかつ再現可能な開口が得られることが考慮されており、フィルムの一部分が切り離されて、ホース状袋の中身と共に運び出されてしまうことがない。
【００１０】
カッタが、差込み可能な管片によって流出開口内で回転可能かつホース状袋の方向に摺動可能であると、まず有利である。それというのは、これにより、それぞれのホース状袋のフィルム材料へ、カッタの最適な切断箇所が得られるように適合できるからである。さらに、カッタが、ホース状袋を開く終端位置でロック可能であると有利である。なぜならば、これにより、意図せずカッタが元の位置へ戻ってしまうこと及びそれにより場合によってはホース状袋が閉鎖されてしまうことが回避され、これによって、確実にホース袋が空にされるからである。
【００１１】
さらに、管片が、管状の流出開口の内壁に対してシールされていると有利であり、これにより、ホース状袋の中身が、管状の流出開口と管片との間にコントロールされずに流れ出てしまうことが防がれる。
【００１２】
【発明の実施の形態】
本発明による実施例を図面に基づき以下に詳細に説明する。
【００１３】
図１には、本発明によるホース状袋１を空にするための装置が示されている。このホース状袋１は、上方の袋クリップ６及び下方の袋クリップ７によって閉鎖されており、下方の袋クリップ７は、キャップ状の受容部分２の相応の凹設部８内に配置されている。ホース状袋１は、キャップ状の受容部分２に、受容部分２の内部の側壁９にわたってのみ、接着剤を用いて固定されている。
【００１４】
キャップ状の受容部分２は、管状の流出開口３を有しており、この流出開口３内には、取り外し可能な輸送固定部材１０によって、続いてらせん状の切断刃を有するカッタ４が配置されている。カッタ４は、差込み可能な管片５によって、管状の流出開口３内に回転可能に支承されている。
【００１５】
それぞれのホース状袋の中身を空にするためにホース状袋１を切断するには、輸送用固定部材１０が取り外され、続いて管片５が、当接するまでホース状袋１の方向に差し込まれる。これにより、カッタ４が、ホース状袋１をその都度の箇所で切り開く（図２参照）。
【００１６】
圧力負荷によって、ホース状袋１の中身が、それぞれの切り込み開口及びこれに続いて管状の流出開口３を通り、さらに中空状の管片５が用いられて空にされ得る。
【００１７】
管片５は、管状の流出開口３の内壁に対してシールされていて、これにより、それぞれのホース状袋の中身が、管片５と流出開口３との間にコントロールされずに貫流してしまうことはない。
【００１８】
図３〜図６には、本発明によるホース状袋を空にするための装置内に配置されたカッタ４の２つの異なる構成が示されている。カッタは、本発明に基づき、切断領域に、カッタの頂点、いわゆる先端かららせん状に延びる２つの切断刃を有している。
【００１９】
後方領域では、カッタは複数の材料突起を有しており、この材料突起は、本発明による装置内では、ロック及び固定のために用いられており、これにより、ホース状袋１が載置する際、カッタが、意図せず戻し摺動されてしまうことはない。
【００２０】
特別に曲げられたカッタの構成により、ホース状袋１を突き刺す際に、Ｓ字形の切り込みが生じ、このＳ字形の切り込みは、フィルムが十分な伸び率を備えていない又は極めて大きな引裂強度を備えた場合でも、十分に大きくかつ再現可能な開口を生ぜしめ、フィルムの一部分が切り離され、ホース状袋の中身と共に運び出されてしまうことがない。
【図面の簡単な説明】
【図１】ホース状袋が開かれていない場合の本発明による装置の断面の概略図である。
【図２】図１に示された装置の、ホース状袋が開かれた場合の概略図である。
【図３】ホース状袋を切り開くカッタの概略的な平面図である。
【図４】図３に示されたカッタの３次元的な概略図である。
【図５】カッタの別の構成の概略的な平面図である。
【図６】図５に示されたカッタの３次元的な概略図である。
【符号の説明】
１  ホース状袋、  ２  受容部分、  ３  流出開口、  ４  カッタ、  ５  管片、  ６，７  袋クリップ、  ８  凹設部、  ９  側壁、  １０  輸送固定部材
【図１】
0003795404.tif 000002
【図２】
0003795404.tif 000003
【図３】
0003795404.tif 000004
【図４】
0003795404.tif 000005
【図５】
0003795404.tif 000006
【図６】
0003795404.tif 000007